(57)【要約】【課題】シリーズ番組について採用される著作権保護方式を特定し、その特定した著作権保護方式をユーザに報知出来る記録再生装置を提供することにある。【解決手段】ＨＤＤレコーダ１において、シリーズ番組情報検索プログラム１４４ａ及びシリーズ番組記憶プログラム１４４ｂの実行により、抽出部３を介して、番組情報からシリーズ番組情報を検索してテーブル１４５に記憶する。そして、受信プログラム１４４ｃの実行により、そのシリーズ番組情報と同じシリーズ番組情報を備えたデジタル放送データを受信して、判断プログラム１４４ｄの実行により、そのデジタル放送データの著作権保護方式を判断し、そのデジタル放送データのシリーズ番組情報と、上記判断結果と、その著作権保護方式に定められたコピー処理可能回数をリスト表示制御プログラム１４４ｉの実行により一覧表示させる。【選択図】図１
2010055687.tif 000002
【特許請求の範囲】
【請求項１】
放送局から送出されるテレビジョン放送信号に基づくデジタル放送データを記録部に記録し、前記記録部に記録されたデジタル放送データを再生部により再生する記録再生装置において、
前記テレビジョン放送信号に重畳された番組情報を抽出する抽出手段と、
前記抽出手段により抽出された番組情報から、放送番組ごとに設定された、シリーズ番組に関するシリーズ番組情報を検索するシリーズ番組情報検索手段と、
前記シリーズ番組情報検索手段により検索されたシリーズ番組情報を記憶するシリーズ番組情報記憶手段と、
前記シリーズ番組情報記憶手段に記憶されたシリーズ番組情報に対応するデジタル放送データのダビング回数に関する保護方式情報を記憶する保護方式情報記憶手段と、
前記テレビジョン放送信号から、前記シリーズ番組情報記憶手段により記憶されたシリーズ番組情報と同じシリーズ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる第１生成手段と、
前記シリーズ番組情報記憶手段に記憶されたシリーズ番組情報に対応するシリーズ番組のデジタル放送データが記録済みか否かに関する録画済み情報を記憶する録画済み情報記憶手段と、
前記記録部に記録されたデジタル放送データの中の番組情報を取得する取得手段と、
前記取得手段により取得した番組情報に基づいて、前記録画済み情報を生成し、前記録画済み情報記憶手段に記憶させる第２生成手段と、
前記シリーズ番組情報記憶手段により記憶されたシリーズ番組情報と、前記保護方式情報記憶手段に記憶された保護方式情報と、前記第２生成手段により録画済み情報記憶手段に記憶させた録画済み情報とを、対応付けて、所定の表示手段に一覧表示させるリスト表示制御手段と、
を備えることを特徴とする記録再生装置。
【請求項２】
請求項１記載の記録再生装置において、
前記保護方式情報記憶手段により記憶された保護方式情報に基づいて、対応するデジタル放送データのダビング処理可能回数を記憶するダビング処理可能回数記憶手段と、
前記記録部に記録されたデジタル放送データを、所定の記録媒体にダビングするダビング処理手段と、
前記ダビング処理手段によりダビング処理される度に、前記ダビング処理可能回数記憶手段に記憶されたコピー処理可能回数を１減じて更新する更新手段と、
前記シリーズ番組情報記憶手段により記憶されたシリーズ番組情報のうち、対応するシリーズ番組のデジタル放送データが記録済みのシリーズ番組情報と、前記ダビング処理可能回数記憶手段に記憶された当該シリーズ番組情報に対応するダビング処理可能回数と、を所定の表示手段に一覧表示させる第２リスト表示制御手段と、
を備えることを特徴とする記録再生装置。
【請求項３】
請求項２記載の記録再生装置において、
前記記録部に記録されたデジタル放送データが前記再生部により再生されたか否かを記憶する再生有無情報を記憶する再生有無情報記憶手段を備え、
前記第２リスト表示制御手段は、前記シリーズ番組情報記憶手段により記憶されたシリーズ番組情報のうち、対応するシリーズ番組のデジタル放送データが記録済みのシリーズ番組情報と、前記前記再生有無情報に記憶された再生有無情報と、を対応付けて、前記所定の表示手段に表示させることを特徴とする記録再生装置。
【請求項４】
放送局から送出されるテレビジョン放送信号に基づくデジタル放送データを記録部に記録し、前記記録部に記録されたデジタル放送データを再生部により再生する記録再生装置において、
前記テレビジョン放送信号に重畳された番組情報を抽出する抽出手段と、
前記抽出手段により抽出された番組情報から、放送番組ごとに設定された、シリーズ番組に関するシリーズ番組情報を検索するシリーズ番組情報検索手段と、
前記シリーズ番組情報検索手段により検索されたシリーズ番組情報を記憶するシリーズ番組情報記憶手段と、
前記シリーズ番組情報記憶手段に記憶されたシリーズ番組情報に対応するデジタル放送データのダビング回数に関する保護方式情報を記憶する保護方式情報記憶手段と、
前記テレビジョン放送信号から、前記シリーズ番組情報記憶手段により記憶されたシリーズ番組情報と同じシリーズ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる第１生成手段と、
前記シリーズ番組情報記憶手段に記憶されたシリーズ番組情報に対応するシリーズ番組のデジタル放送データが記録済みか否かに関する録画済み情報を記憶する録画済み情報記憶手段と、
前記記録部に記録されたデジタル放送データの中の番組情報を取得する取得手段と、
前記取得手段により取得した番組情報に基づいて、前記録画済み情報を生成し、前記録画済み情報記憶手段に記憶させる第２生成手段と、
前記シリーズ番組情報記憶手段により記憶されたシリーズ番組情報と、前記保護方式情報記憶手段に記憶された保護方式情報と、前記第２生成手段により録画済み情報記憶手段に記憶させた録画済み情報とを、対応付けて、所定の表示手段に一覧表示させるリスト表示制御手段と、
前記保護方式情報記憶手段により記憶された保護方式情報に基づいて、対応するデジタル放送データのダビング処理可能回数を記憶するダビング処理可能回数記憶手段と、
前記記録部に記録されたデジタル放送データを、所定の記録媒体にダビングするダビング処理手段と、
前記ダビング処理手段によりダビング処理される度に、前記ダビング処理可能回数記憶手段に記憶されたコピー処理可能回数を１減じて更新する更新手段と、
前記シリーズ番組情報記憶手段により記憶されたシリーズ番組情報のうち、対応するシリーズ番組のデジタル放送データが記録済みのシリーズ番組情報と、前記ダビング処理可能回数記憶手段に記憶された当該シリーズ番組情報に対応するダビング処理可能回数と、を所定の表示手段に一覧表示させる第２リスト表示制御手段と、
前記記録部に記録されたデジタル放送データが前記再生部により再生されたか否かを記憶する再生有無情報を記憶する再生有無情報記憶手段と、を備え、
前記第２リスト表示制御手段は、前記シリーズ番組情報記憶手段により記憶されたシリーズ番組情報のうち、対応するシリーズ番組のデジタル放送データが記録済みのシリーズ番組情報と、前記前記再生有無情報に記憶された再生有無情報と、を対応付けて、前記所定の表示手段に表示させることを特徴とする記録再生装置。
【発明の詳細な説明】
【技術分野】
【０００１】
本発明は、記録再生装置に関する。
【背景技術】
【０００２】
近年、複数の放送種別（例えば、地上デジタル、ＢＳデジタル、１１０度ＣＳデジタル等）から送信されるデジタル放送の放送番組には、ユーザにより記録された放送番組の著作権保護方式として、記録された番組を一世代のみムーブ処理することを許可する方式（コピーワンス方式）や、コピー処理やムーブ処理を全面的に禁止する方式（コピーネバー方式）等が用いられている。
さらに、デジタル放送では、上記方式に加え、ダビング１０方式（記録された番組について、９回のコピー処理と1回のムーブ処理を許可する方式）による運用が開始されるため、自己の記録した番組が上記何れの著作権保護方式に基づくものであり、その記録した番組について、コピー処理やムーブ処理を何回実行可能なのか、はユーザにとって関心の高い事項であり、記録再生装置により放送番組を記録する前に、その番組について設定されているコピー処理やムーブ処理の可能回数を把握できることが望ましい。
【０００３】
上記コピー処理やムーブ処理の可能回数をユーザに報知する技術としては、例えば、映像情報又は音声情報を含むデジタル情報と、そのデジタル情報に含まれるコピー回数情報を記録し、そのデジタル情報とコピー回数情報を操作画面上で一覧表示できるデジタル情報記録再生装置が知られている（例えば、特許文献１参照）。
【０００４】
しかしながら、上記特許文献１記載の発明に係るデジタル情報に含まれるコピー回数情報は、回数制限無くコピー処理やムーブ処理が可能な方式（コピーフリー方式）と、コピーワンス方式と、コピーネバー方式の番組に基づいて決定されたコピー回数を示すものである。そのため、上記特許文献１記載の発明によっては、ダビング１０方式の番組が対象とされておらず、その識別をすることも出来ない。
【０００５】
さらに、仮に、上記特許文献１記載の発明等によって、記録する番組がダビング１０方式を用いた番組であるか否かを識別することが出来たとしても、ダビング１０方式が用いられているか否かは、記録する番組が放送された後にならなければ把握できない。また、その放送された同一番組内においても、ダビング１０方式やコピーワンス方式等が逐次切換えて用いられている可能性もある。そのため、番組を予約録画する前にユーザにコピー処理やムーブ処理の可能回数を報知することは困難である。
【０００６】
一方で、例えば、シリーズ化された複数の放送番組（シリーズ番組）のように、一定の規則性に基づいて放送される番組であれば、各回の放送番組についての著作権保護方式は、画一的又は一定の規則性に基づいて設定されることが予測され、シリーズ番組のうち何れかの回に放送される放送番組についての著作権保護方式を把握できれば、それ以降の回に放送される放送番組についての著作権保護方式を事前に把握し得る。そして、このようなシリーズ番組は主にユーザが全ての回について継続的に記録を行うものであり、例えば、滅失等に備えて複数回分の放送番組を一括して他の記録媒体にコピー処理やムーブ処理を実行することが考えられるので、必然的に記録する放送番組に対するコピー処理やムーブ処理の可能回数を把握したいという要望は強いと推測される。
【０００７】
ここで、例えば、電子番組ガイドを取得して、シリーズ化された複数の放送番組について、録画済みのものと未録画のものを区別して、表示画面上にタイトル等とともに一覧表示可能な映像録画装置が知られている（例えば、特許文献２参照）。
【特許文献１】特開２００６−１１４０８９号公報
【特許文献２】特開２００７−３００４１２号公報
【発明の開示】
【発明が解決しようとする課題】
【０００８】
しかしながら、上記特許文献２記載の発明では、表示するシリーズ番組について、ダビング１０方式を含めた著作権保護方式を把握することが出来ないため、ユーザはシリーズ番組のコピー処理やムーブ処理の可能回数を把握することが出来ない。
そこで、本発明の課題は、シリーズ番組について採用される著作権保護方式を特定し、その特定した著作権保護方式をユーザに報知出来る記録再生装置を提供することにある。
【課題を解決するための手段】
【０００９】
上記課題を解決するため、請求項１に記載の発明は、
放送局から送出されるテレビジョン放送信号に基づくデジタル放送データを記録部に記録し、前記記録部に記録されたデジタル放送データを再生部により再生する記録再生装置において、
前記テレビジョン放送信号に重畳された番組情報を抽出する抽出手段と、
前記抽出手段により抽出された番組情報から、放送番組ごとに設定された、シリーズ番組に関するシリーズ番組情報を検索するシリーズ番組情報検索手段と、
前記シリーズ番組情報検索手段により検索されたシリーズ番組情報を記憶するシリーズ番組情報記憶手段と、
前記シリーズ番組情報記憶手段に記憶されたシリーズ番組情報に対応するデジタル放送データのダビング回数に関する保護方式情報を記憶する保護方式情報記憶手段と、
前記テレビジョン放送信号から、前記シリーズ番組情報記憶手段により記憶されたシリーズ番組情報と同じシリーズ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる第１生成手段と、
前記シリーズ番組情報記憶手段に記憶されたシリーズ番組情報に対応するシリーズ番組のデジタル放送データが記録済みか否かに関する録画済み情報を記憶する録画済み情報記憶手段と、
前記記録部に記録されたデジタル放送データの中の番組情報を取得する取得手段と、
前記取得手段により取得した番組情報に基づいて、前記録画済み情報を生成し、前記録画済み情報記憶手段に記憶させる第２生成手段と、
前記シリーズ番組情報記憶手段により記憶されたシリーズ番組情報と、前記保護方式情報記憶手段に記憶された保護方式情報と、前記第２生成手段により録画済み情報記憶手段に記憶させた録画済み情報とを、対応付けて、所定の表示手段に一覧表示させるリスト表示制御手段と、
を備えることを特徴とする。
【００１０】
請求項２に記載の発明は、請求項１記載の記録再生装置において、
前記保護方式情報記憶手段により記憶された保護方式情報に基づいて、対応するデジタル放送データのダビング処理可能回数を記憶するダビング処理可能回数記憶手段と、
前記記録部に記録されたデジタル放送データを、所定の記録媒体にダビングするダビング処理手段と、
前記ダビング処理手段によりダビング処理される度に、前記ダビング処理可能回数記憶手段に記憶されたコピー処理可能回数を１減じて更新する更新手段と、
前記シリーズ番組情報記憶手段により記憶されたシリーズ番組情報のうち、対応するシリーズ番組のデジタル放送データが記録済みのシリーズ番組情報と、前記ダビング処理可能回数記憶手段に記憶された当該シリーズ番組情報に対応するダビング処理可能回数と、を所定の表示手段に一覧表示させる第２リスト表示制御手段と、
を備えることを特徴とする。
【００１１】
請求項３に記載の発明は、請求項２記載の記録再生装置において、
前記記録部に記録されたデジタル放送データが前記再生部により再生されたか否かを記憶する再生有無情報を記憶する再生有無情報記憶手段を備え、
前記第２リスト表示制御手段は、前記シリーズ番組情報記憶手段により記憶されたシリーズ番組情報のうち、対応するシリーズ番組のデジタル放送データが記録済みのシリーズ番組情報と、前記前記再生有無情報に記憶された再生有無情報と、を対応付けて、前記所定の表示手段に表示させることを特徴とする。
【００１２】
請求項４に記載の発明は、
放送局から送出されるテレビジョン放送信号に基づくデジタル放送データを記録部に記録し、前記記録部に記録されたデジタル放送データを再生部により再生する記録再生装置において、
前記テレビジョン放送信号に重畳された番組情報を抽出する抽出手段と、
前記抽出手段により抽出された番組情報から、放送番組ごとに設定された、シリーズ番組に関するシリーズ番組情報を検索するシリーズ番組情報検索手段と、
前記シリーズ番組情報検索手段により検索されたシリーズ番組情報を記憶するシリーズ番組情報記憶手段と、
前記シリーズ番組情報記憶手段に記憶されたシリーズ番組情報に対応するデジタル放送データのダビング回数に関する保護方式情報を記憶する保護方式情報記憶手段と、
前記テレビジョン放送信号から、前記シリーズ番組情報記憶手段により記憶されたシリーズ番組情報と同じシリーズ番組情報を備えたデジタル放送データを受信する受信手段と、
前記受信手段により受信されたデジタル放送データが、所定の複数回のダビングが可能な保護方式のデジタル放送データであるか否かを判断する判断手段と、
前記判断手段による判断に基づいて、前記保護方式情報を生成し、前記保護方式情報記憶手段に記憶させる第１生成手段と、
前記シリーズ番組情報記憶手段に記憶されたシリーズ番組情報に対応するシリーズ番組のデジタル放送データが記録済みか否かに関する録画済み情報を記憶する録画済み情報記憶手段と、
前記記録部に記録されたデジタル放送データの中の番組情報を取得する取得手段と、
前記取得手段により取得した番組情報に基づいて、前記録画済み情報を生成し、前記録画済み情報記憶手段に記憶させる第２生成手段と、
前記シリーズ番組情報記憶手段により記憶されたシリーズ番組情報と、前記保護方式情報記憶手段に記憶された保護方式情報と、前記第２生成手段により録画済み情報記憶手段に記憶させた録画済み情報とを、対応付けて、所定の表示手段に一覧表示させるリスト表示制御手段と、
前記保護方式情報記憶手段により記憶された保護方式情報に基づいて、対応するデジタル放送データのダビング処理可能回数を記憶するダビング処理可能回数記憶手段と、
前記記録部に記録されたデジタル放送データを、所定の記録媒体にダビングするダビング処理手段と、
前記ダビング処理手段によりダビング処理される度に、前記ダビング処理可能回数記憶手段に記憶されたコピー処理可能回数を１減じて更新する更新手段と、
前記シリーズ番組情報記憶手段により記憶されたシリーズ番組情報のうち、対応するシリーズ番組のデジタル放送データが記録済みのシリーズ番組情報と、前記ダビング処理可能回数記憶手段に記憶された当該シリーズ番組情報に対応するダビング処理可能回数と、を所定の表示手段に一覧表示させる第２リスト表示制御手段と、
前記記録部に記録されたデジタル放送データが前記再生部により再生されたか否かを記憶する再生有無情報を記憶する再生有無情報記憶手段と、を備え、
前記第２リスト表示制御手段は、前記シリーズ番組情報記憶手段により記憶されたシリーズ番組情報のうち、対応するシリーズ番組のデジタル放送データが記録済みのシリーズ番組情報と、前記前記再生有無情報に記憶された再生有無情報と、を対応付けて、前記所定の表示手段に表示させることを特徴とする。
【発明の効果】
【００１３】
本発明に係る記録再生装置によれば、番組情報からシリーズ番組に関するシリーズ番組情報を検索して記憶し、そのシリーズ番組情報と同じシリーズ番組情報を備えたデジタル放送データを受信して、そのデジタル放送データが、予め設定された複数回のダビングが可能なデジタル放送データ（ダビング１０方式のデジタル放送データ）であるか否かを判断し、その判断結果に基づいて、そのシリーズ番組の保護方式情報を生成する。さらに、記録部に記録されたデジタル放送データが記録済みか否かに関する録画済み情報を生成する。そして、上記シリーズ番組情報と、保護方式情報と、録画済み情報とを、対応付けて、所定の表示手段によって一覧表示させることが出来る。そのため、本発明に係る記録再生装置により、ユーザはシリーズ番組の録画に関する多様な情報を一見して取得することが可能となる。
すなわち、シリーズ番組について採用される著作権保護方式を特定し、その特定した著作権保護方式をユーザに報知出来る記録再生装置であると言える。
【発明を実施するための最良の形態】
【００１４】
以下、図を参照して、本発明に係る記録再生装置の実施形態を詳細に説明する。なお、発明の範囲は、図示例に限定されない。
【００１５】
図１に示すように、記録再生装置としてのＨＤＤ（Ｈａｒｄ  Ｄｉｓｋ  Ｄｒｉｖｅ）レコーダ１は、表示手段としてのテレビジョン受像機２００と接続されており、デジタル放送データを受信し、そのデジタル放送データから所定の放送チャンネルに選局するチューナ部３と、チューナ部３から出力されたデジタル放送データにおける映像データから同期信号を分離する分離部４と、分離部４から入力されたデジタル放送データ或いはディスクドライブ８に記録されたデジタル放送データから、それらデジタル放送データの番組情報の抽出等を行う抽出部５と、デジタル放送データに対して所定の圧縮処理を行うエンコーダ６と、デジタル放送データの入出力経路を設定して、エンコーダ６から入力されたデジタル放送データをディスクドライブ８に送給するとともに、ディスクドライブ８から取り込んだデジタル放送データを装置の各部に出力するデータプロセッサ７と、デジタル放送データを記憶するディスクドライブ８と、ディスクドライブ８又は分離部４から出力されたデジタル放送データに所定の復元処理を行うデコーダ１０と、デコーダ１０から出力されたデジタル放送データに対して所定の信号出力処理を行う出力インターフェース部１１と、デジタル放送データにおける映像データに対してＯＳＤデータを付加するＯＳＤ（Ｏｎ  Ｓｃｒｅｅｎ  Ｄｉｓｐｌａｙ）回路１２と、リモコン部２からの入力操作信号を受信するとともに、その入力操作信号を制御部１４に出力するリモコン信号受光部１３と、ＨＤＤレコーダ１の各部を統括制御する制御部１４と、装置各部を接続する制御バス１５と、現在時刻を計時する計時部１６と、ディスクドライブ８に記録されたデジタル放送データを記録媒体（ＤＶＤ）にコピー処理等するＤＶＤドライブ１８と、等を備えて構成され、映像データや音声データ等から成るデジタル放送データを、ディスクドライブ８に記録するとともに、その記録されたデジタル放送データの再生を行う。
【００１６】
チューナ部３は、例えば、高周波増幅回路と、局部発振回路及び混合回路から成る周波数変換回路等（図示省略）を備えて構成されるデジタルチューナであり、各ネットワーク（放送種別）のデジタル放送（地上デジタル放送、ＢＳデジタル放送、１１０度ＣＳデジタル放送）を、アンテナ等を介してデジタル放送データとして受信可能である。つまり、チューナ部３によると、映像データ、音声データ、ＰＳＩ（Ｐｒｏｇｒａｍ Ｓｐｅｃｉｆｉｃ Ｉｎｆｏｒｍａｔｉｏｎ：番組特定情報）／ＳＩ（Ｓｅｒｖｉｃｅ Ｉｎｆｏｒｍａｔｉｏｎ：番組配列情報）からなるデジタル放送データと、局部発振回路から出力される局部発振信号と、を混合回路により混合し、そのデジタル放送データの周波数を選局するための制御部１４からの制御出力に応じて、特定周波数帯のデジタル放送データを受信する。  
また、チューナ部３は、受信したデジタル放送データを所定の中間周波数を有するＩＦ（中間周波：Ｉｎｔｅｒｍｅｄｉａｔｅ Ｆｒｅｑｕｅｎｃｙ）信号に変換して分離部４に出力する。
また、チューナ部３は、特定のネットワークよりデジタル放送データを受信する際に、選択されているネットワークの名称に関する所定の信号をＣＰＵ１４２に出力する。
【００１７】
ここで、デジタル放送データのＰＳＩ／ＳＩは、各放送番組に関する番組情報（例えば、「放送チャンネル」、「放送局名」、「番組名」、「放送予定日時」等）を含んだ情報である。
具体的には、ＰＳＩは、例えば、ＰＭＴ（Ｐｒｏｇｒａｍ  Ｍａｐ  Ｔａｂｌｅ）、ＰＡＴ（Ｐｒｏｇｒａｍ  Ａｓｓｏｃｉａｔｉｏｎ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎａｌ  Ａｃｃｅｓｓ  Ｔａｂｌｅ）等のテーブルから構成されており、このＰＭＴ内に著作権保護方式（例えば、ダビング１０方式、コピーワンス方式、コピーネバー方式、コピーフリー方式）を識別する記述子が記載されている。
また、ＳＩは、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＢＡＴ（Ｂｏｕｑｕｅｔ  Ａｓｓｏｃｉａｔｉｏｎ  Ｔａｂｌｅ）、ＴＤＴ（Ｔｉｍｅ  Ｄａｔｅ  Ｔａｂｌｅ）等の各種テーブル等が含まれている。
【００１８】
分離部４は、放送信号であるデジタル放送データを抽出部５に出力するとともに、チューナ部３より入力されたＩＦ信号からデジタル放送データを構成する映像データと音声データを分離し、分離した映像データから、同期信号を分離して装置の各部に出力する。
この同期信号に基づいて、ディスクドライブ８又はＤＶＤドライブ１８におけるデジタル放送データの記録、再生等が行われる際の同期がとられることとなる。
【００１９】
抽出部５は、後述するＣＰＵ１４２からの制御出力に基づいて、分離部４より入力されたデジタル放送データから番組情報としてのＰＳＩ／ＳＩを抽出するとともに、ディスクドライブ８又はＤＶＤドライブ１８に記録されたデジタル放送データからの番組情報の抽出も行う抽出手段である。
【００２０】
エンコーダ６は、例えば、ビデオエンコーダと、オーディオエンコーダ等（図示省略）を備えて構成されている。
ビデオエンコーダは、デジタル放送データを構成する映像データをＭＰＥＧ（Ｍｏｔｉｏｎ Ｐｉｃｔｕｒｅ Ｅｘｐｅｒｔ Ｇｒｏｕｐ）方式に従って圧縮し、オーディオエンコーダは、デジタル放送データを構成する音声データをＭＰＥＧオーディオ方式に従って圧縮する。
そして、このエンコーダ６において生成されたデジタル放送データは、データプロセッサ７を介してディスクドライブ８又はＤＶＤドライブ１８に出力されることになる。
【００２１】
データプロセッサ７は、後述するＣＰＵ１４２からの制御出力に基づいて、デジタル放送データの入出力経路を設定し、データの入力及び出力を制御する。
具体的には、例えば、ユーザによるリモコン部２の操作によりディスクドライブ８又はＤＶＤドライブ１８に対する記録の指示がなされた場合には、エンコーダ６から入力されたデジタル放送データをディスクドライブ８又はＤＶＤドライブ１８に出力する。
【００２２】
ディスクドライブ８（記録部）は、ＡＲＩＢ（Ａｓｓｏｃｉａｔｉｏｎ  ｏｆ  Ｒａｄｉｏ Ｉｎｄｕｓｔｒｉｅｓ  ａｎｄ  Ｂｒｏａｄｃａｓｔ）規格に準拠した磁気ディスクドライブであり、ユーザのリモコン部２における録画操作に応じて、受信したデジタル放送データを記録し、例えば、内蔵されたハードディスク（図示省略）と、ハードディスクに対するデータの記憶或いはハードディスクに記憶されたデータの読み出しを行う磁気ヘッド（図示省略）と、ハードディスクを回転駆動させるとともに、磁気ヘッドをハードディスクの半径方向に移動させるための駆動部（図示省略）等を備えて構成されている。ハードディスクは、非磁性体のディスク基板（図示省略）と、その上に設けられた磁性層（図示省略）と、を備えて成り、磁気ヘッドとハードディスクとの間に、電流を供給することにより磁界を発生する微小なギャップを有している。
また、ディスクドライブ８は、記録したそれぞれのデジタル放送データについて履歴情報（例えば、記録日時、コピー処理（ダビング）された回数等の情報）を記憶している。  さらに、履歴情報は、再生部としてのデコーダ１０及び出力インターフェース部１１を介して、それぞれのデジタル放送データが再生されたか否かを示す「視聴の有無」（再生有無情報）が含まれているため、ディスクドライブ８は再生有無情報記憶手段として機能する。
【００２３】
デコーダ１０は、例えば、図示は省略するが、ビデオデコーダと、オーディオデコーダ等を備えて構成されている。
ビデオデコーダは、映像データをＭＰＥＧ方式に従って復元し、オーディオデコーダは、音声データをＭＰＥＧオーディオ方式に従って復元する。
このデコーダ１０において生成されたデジタル放送データは、再生処理においては出力インターフェース部１１に出力されることとなる。
【００２４】
出力インターフェース部１１は、例えば、映像出力部１１ａと音声出力部１１ｂと、図示しないＤ／Ａ変換器等を備え、再生処理においてデコーダ１０から入力されるデジタル放送データに対して各種の出力インターフェース処理を施し、ＮＴＳＣ方式やＰＡＬ方式等のテレビジョン受像機２００に適合した映像データ、音声データに変換する。具体的には、Ｄ／Ａ変換器は、出力がアナログである場合に、デコーダ１０より入力されたデジタル放送データをアナログデータに変換する。
この出力インターフェース部１１において生成されたデジタル放送データに基づく情報である映像や音声は、ＨＤＤレコーダ１に接続されたテレビジョン受像機２００の表示画面２００ａやスピーカ（図示省略）にそれぞれ出力されることとなるため、出力インターフェース部１１は、デコーダ１０とともに再生部として機能する。
なお、出力インターフェース部１１は、テレビジョン受像機２００とともにＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠した端子を備えるインターフェースとして、映像データ及び音声データを同一のＨＤＭＩケーブルにより出力するものであっても良い。
【００２５】
ＯＳＤ回路１２は、デジタル放送データを構成する映像データに対して、ＲＯＭ１４４に格納された図示しないＯＳＤデータを合成する処理を行う。
【００２６】
リモコン部２は、例えば、ＨＤＤレコーダ１に対して遠隔操作を行うリモートコントロール装置（リモコン）であり、ディスクドライブ８にデジタル放送データを記録するための「録画ボタン」と、記録されたデジタル放送データを再生等するための「再生ボタン」と、等を備えており、それぞれのボタンやキーの押下に応じて所定の入力操作信号をリモコン信号受光部１３に送信するように構成されている。さらに、リモコン部２は、青色、赤色、緑色、黄色の各カラーボタンと、テレビ受像機２００の表示画面２００ａ上でカーソルを上下又は左右に移動させる「カーソルボタン」と、ユーザによるリモコン部２の所定の操作結果を反映させる「決定」キーと、メニュー画面の呼び出し／終了等を行う「メニュー」キーと、表示画面２００ａに表示されている画面の前画面表示切換え等を行う「戻る」キーと、等を備えており、上記ボタン／キーはテレビ受像機２００の表示画面２００ａに表示される画面に応じて異なる押下機能を発揮するようになっている。
つまり、各表示画面とその表示画面における各ボタン／キーの機能を対応付けたボタン／キー機能テーブル（図示省略）がＲＯＭ１４４に記憶されており、ＣＰＵ１４２は、リモコン信号受光部１３を介してリモコン部２からの入力操作信号を入力すると、表示画面２００ａに表示されている画面と、ユーザにより入力操作されたボタン／キーの種類に対応した入力操作処理を実行するように制御されている。この表示画面２００ａに表示されている画面に応じたボタン／キーの機能は、各画面のボタン／キー機能説明部５００ａ〜５１０ａにてユーザに報知される。
【００２７】
リモコン信号受光部１３は、リモコン部２に備わる各種ボタン／キーがユーザによって押下操作されると、リモコン部２より出力される赤外線等の入力操作信号を受信し、その入力操作信号をＣＰＵ１４２に対して出力する。
【００２８】
制御部１４は、ＣＰＵ（Ｃｅｎｔｒａｌ  Ｐｒｏｃｅｓｓｉｎｇ  Ｕｎｉｔ）１４２と、記憶部１４３と、ＲＯＭ（Ｒｅａｄ Ｏｎｌｙ Ｍｅｍｏｒｙ）１４４等を備えて構成されている。
【００２９】
ＣＰＵ１４２は、ＨＤＤレコーダ１の各部を介して入力された入力信号や、リモコン部２の各種キーの押下操作によってリモコン信号受光部１３を介して入力された入力操作信号等に応じて、ＲＯＭ１４４に格納された各種プログラムを実行するとともに、実行にかかるプログラムに基づいて装置の各部に出力信号を出力することによって、ＨＤＤレコーダ１の動作全般を統括制御する。
【００３０】
記憶部１４３は、ＣＰＵ１４２により実行される処理プログラム等を展開するためのプログラム格納領域（図示省略）や、入力データや処理プログラムが実行される際に生じる処理結果等を格納するデータ格納領域（図示省略）などを備える。
また、記憶部１４３は、例えば、ＮＶＲＡＭ（Ｎｏｎ  Ｖｏｌａｔｉｌｅ  Ｒａｎｄｏｍ  Ａｃｃｅｓｓ  Ｍｅｍｏｒｙ）等の、記憶内容を更新可能で、かつ、電源を遮断しても記憶内容を保持できる不揮発メモリを備えている。
そして、この記憶部１４３は、後述のシリーズ番組記憶プログラム１４４ｂの実行により記憶されるテーブル１４５と、シリーズテーブル作成プログラム１４４ｈの実行により作成されるシリーズテーブル１４６と、確認チャンネルテーブル作成プログラム１４４ｏの実行により作成される確認チャンネルテーブル１４７と、を備えている。
【００３１】
ＲＯＭ（Ｒｅａｄ Ｏｎｌｙ Ｍｅｍｏｒｙ）１４４は、例えば、不揮発性メモリからなり、テレビジョン受像機２００の表示画面２００ａに表示するＯＳＤ表示に関するＯＳＤデータが格納されるデータ格納エリアやプログラム格納エリアを有し、プログラム格納エリアには、シリーズ番組情報検索プログラム１４４ａと、シリーズ番組記憶プログラム１４４ｂと、受信プログラム１４４ｃと、判断プログラム１４４ｄと、録画済みシリーズ番組情報判別プログラム１４４ｅと、コピー処理回数算出プログラム１４４ｆと、コピー残数算出プログラム１４４ｇと、シリーズテーブル作成プログラム１４４ｈと、リスト表示制御プログラム１４４ｉと、放送中リスト表示制御プログラム１４４ｊと、録画リスト表示制御プログラム１４４ｋと、各話リスト表示制御プログラム１４４ｌと、確認チャンネル一覧表示制御プログラム１４４ｍと、有料チャンネル一覧表示制御プログラム１４４ｎと、確認チャンネルテーブル作成プログラム１４４ｏと、特定プログラム１４４ｐと、時刻判断プログラム１４４ｑと、一致判断プログラム１４４ｒと、メッセージ表示プログラム１４４ｓと、決定プログラム１４４ｔと、等の各種プログラムや、ネットワークごとの各放送チャンネルとその放送チャンネルに対応する放送局名、及び、そのチャンネルが有料チャンネルであるか否か、の記載された放送チャンネル一覧データ（図示省略）が格納されている。
【００３２】
シリーズ番組情報検索プログラム１４４ａは、抽出部５により抽出された番組情報より、シリーズ番組情報を検索するシリーズ番組情報検索手段である。
つまり、ＣＰＵ１４２は、シリーズ番組情報検索プログラム１４４ａを実行することにより、後述の確認チャンネル一覧表示制御プログラム１４４ｍ又は有料チャンネル一覧表示制御プログラム１４４ｎの実行によって、ユーザに選択された放送局（放送チャンネル）の番組情報を抽出部５に抽出させ、シリーズ番組情報を備える放送予定番組の情報のみを検索する。具体的には、放送予定番組がシリーズ番組である場合、放送予定番組の番組情報のＳＩに、シリーズ番組情報（例えば、シリーズ番組であることを示す「シリーズ記述子」、「放送チャンネル」、「放送局名」、「シリーズ番組名」、各話のタイトルを表す「タイトル」、「話数」、「放送予定日時」、シリーズ番組の放送終了予定時期を示す「終了時期」等のデータから構成されている）が備えられているため、ＣＰＵ１４２は、シリーズ番組情報検索プログラム１４４ａを実行し、番組情報よりシリーズ記述子を備えた放送予定番組を検索させることで、一又は複数のシリーズ番組情報を検索する。
また、上記番組情報は、放送チャンネルによって更新情報を発信する期間が定められているため（通常、８日間程度）、その期間が経過する度に、ＣＰＵ１４２がシリーズ番組情報検索プログラム１４４ａを実行することで、常に最新の番組情報が取得されるようになっている。
【００３３】
シリーズ番組記憶プログラム１４４ｂは、シリーズ番組情報検索プログラム１４４ａにより検索されたシリーズ番組情報を、検索対象となったネットワーク（放送種別）のネットワーク名（放送種別名）と対応付け、テーブル形式にて記憶することが出来る。
つまり、ＣＰＵ１４２は、シリーズ番組記憶プログラム１４４ｂを実行することにより、シリーズ番組情報検索プログラム１４４ａにより検索されたシリーズ番組情報と、そのシリーズ番組情報を備えるデジタル放送データを送信するネットワークのネットワーク名等の所定の情報を対応付けたテーブル１４５を、記憶部１４３に記憶する。  
ここで、上記ネットワーク名は、シリーズ番組情報検索プログラム１４４ａによりシリーズ番組情報が検索される度に、ネットワーク特定手段としてのチューナ部３より出力される所定の信号を受信して取得することが出来る。
また、テーブル１４５は、各話のシリーズ番組情報ごとに、図２に示すような、「ネットワーク名」「放送チャンネル」「放送局名」、「シリーズ番組名」、「タイトル」、「話数」、「放送予定日時」、「終了時期」、録画済み情報としての「録画日」、「視聴」、「保護方式（確認）」、保護方式情報としての「保護方式（方式名）」、ダビング処理可能回数としての「コピー処理可能残数」、等のデータ項目から構成されるため、シリーズ番組記憶プログラム１４４ｂは、シリーズ番組情報記憶手段、ダビング処理可能回数記憶手段、保護方式情報記憶手段、録画済み情報記憶手段として機能する。
なお、テーブル１４５の「録画日」、「視聴」は、後述の録画済みシリーズ番組情報判別プログラム１４４ｅの実行により記述され、「保護方式（確認）」、「保護方式（方式名）」は、後述の判断プログラム１４４ｄの実行により記述され、「コピー処理可能残数」は、後述の判断プログラム１４４ｄと、コピー残数算出プログラム１４４ｇの実行により記述される。
【００３４】
受信プログラム１４４ｃは、テーブル１４５に記憶されたシリーズ番組情報に該当するデジタル放送データを受信する受信手段である。
つまり、ＣＰＵ１４２は、受信プログラム１４４ｃを実行することにより、シリーズ番組記憶プログラム１４４ｂの実行により記憶されたシリーズ番組情報の「ネットワーク名」「放送チャンネル」に一致するようにネットワーク及びチャンネルを、チューナ部３を介して選択／選局させ、当該デジタル放送データの放送終了までデジタル放送データを受信させることが出来る。
【００３５】
判断プログラム１４４ｄは、受信プログラム１４４ｃによって受信されたデジタル放送データの著作権保護方式を判断する判断手段である。
つまり、ＣＰＵ１４２は、判断プログラム１４４ｄを実行することにより、受信プログラム１４４ｃによって受信されるデジタル放送データのＰＭＴ（ＰＳＩ）を抽出部５により抽出し、その抽出したＰＭＴ内の著作権保護方式を識別する記述子より、何れの著作権保護方式が用いられているかを判断する判断手段である。また、受信される一のデジタル放送データには、シーン毎あるいは時間帯毎に異なる著作権保護方式が設定されている可能性があるため、ＣＰＵ１４２が、判断プログラム１４４ｄを実行すると、受信プログラム１４４ｃによりデジタル放送データが受信されている間、継続して著作権保護方式の判断を行う。
そして、上記著作権保護方式の判断にあっては、その時点までに判断されている著作権保護方式と、新たに判断された著作権保護方式の、それぞれの著作権保護方式ついて定められたコピー処理の実行可能な最大値（例えば、ダビング１０方式ならば９回等）を対比し、両者のうち、上記最大値がより小さい方（即ち、ユーザにとってよりダビングの条件が厳しい方）を、当該デジタル放送データの著作権保護方式として逐次更新していく。
そのため、記憶部１４３のテーブル１４５の「保護方式（方式名）」には、判断プログラム１４４ｄの実行により、「保護方式（確認）」の欄に「済」と記載されるとともに、最終的に更新された著作権保護方式が記載される。
なお、ＣＰＵ１４２は、判断プログラム１４４ｄを実行することにより、上記デジタル放送データの著作権保護方式が判断されるとともに、その著作権保護方式について定められたコピー処理の実行可能な最大値を、テーブル１４５の「コピー処理可能残数」の初期値として記載する第１生成手段としても機能する。
【００３６】
録画済みシリーズ番組情報判別プログラム１４４ｅは、テーブル１４５に記憶されているシリーズ番組情報を備えたデジタル放送データが、ディスクドライブ８に記録されているか否かを判別するプログラムである。
【００３７】
録画済みシリーズ番組情報判別プログラム１４４ｅは、テーブル１４５に記憶されているシリーズ番組情報を備えたデジタル放送データが、ディスクドライブ８に記録されているか否かを判別するプログラムである。
つまり、ＣＰＵ１４２は、録画済みシリーズ番組情報検索プログラム１４４ｅを実行することにより、ディスクドライブ８に記録されているデジタル放送データの番組情報のＳＩからシリーズ番組情報の取得（シリーズ記述子の抽出）を抽出部５に実行させる取得手段として機能する。
さらに、ＣＰＵ１４２は、録画済みシリーズ番組情報検索プログラム１４４ｅの実行により、シリーズ番組情報が抽出出来た時、そのデジタル放送データのシリーズ番組情報と一致するシリーズ番組情報をテーブル１４５から検出し、そのシリーズ番組情報の「録画日」に、ディスクドライブ８に記憶されている当該デジタル放送データの記録日時（履歴情報）が記載され、「視聴」に視聴の有無（履歴情報）が（視聴済みの場合は「済」と、未視聴の場合は「未」と、）記載される。したがって、録画済みシリーズ番組情報検索プログラム１４４ｅは取得手段、第２生成手段、再生有無情報記憶手段として機能する。
【００３８】
コピー処理回数算出プログラム１４４ｆは、ディスクドライブ８に記憶された各デジタル放送データについて、コピー処理プログラム１４４ｚの実行によりコピー処理がなされた回数を算出するプログラムである。
つまり、ユーザがリモコン部２の操作により、ディスクドライブ８に記憶されているデジタル放送データについてのコピー処理が選択されると、ＣＰＵ１４２のコピー処理プログラム１４４ｚの実行によりＤＶＤドライブ１８の記録媒体に対してコピー処理がなされると、コピー処理回数算出プログラム１４４ｆを実行し、そのデジタル放送データについてディスクドライブ８に記憶されている履歴情報の更新、すなわち、コピー処理された回数を１回分増加させる。
【００３９】
コピー残数算出プログラム１４４ｇは、判断プログラム１４４ｄにより著作権保護方式が判断され、録画済みシリーズ番組情報判別プログラム１４４ｅにより、テーブル１４５に記憶されているシリーズ番組情報を備えたデジタル放送データが、ディスクドライブ８に記録されていると判断された場合において、そのデジタル放送データのコピー処理を実行できる残数を算出するプログラムである。
つまり、ＣＰＵ１４２は、コピー残数算出プログラム１４４ｇを実行すると、テーブル１４５に記憶され、「録画日」に日付が記載され、「保護方式（確認）」に「済」と記載されたシリーズ番組情報を備えるデジタル放送データについて、判断プログラム１４４ｄの実行によりテーブル１４５に記載された「コピー処理残数」から、コピー処理回数算出プログラム１４４ｆの実行により履歴情報（コピー処理された回数）が更新される度に、コピー処理された回数を減算して、コピー処理可能な残数を算出し、その算出されたコピー処理可能な残数をテーブル１４５の「コピー処理可能残数」に更新記載するため、更新手段として機能している。
【００４０】
シリーズテーブル作成プログラム１４４ｈは、テーブル１４５に基づいて、シリーズ番組名が同一の各話のシリーズ番組情報を集約し、シリーズテーブル１４６として、記憶部１４３に記憶するプログラムである。
つまり、ＣＰＵ１４２は、シリーズテーブル作成プログラム１４４ｈを実行すると、テーブル１４５に記憶された、各話のシリーズ番組情報を、図３に示すようなシリーズテーブル１４６としてシリーズ番組ごとに一元化し、記憶部１４３に記憶することが出来る。
ここで、シリーズテーブル１４６のシリーズ番組ごとの「ネットワーク名」、「放送チャンネル」、「放送局名」、「シリーズ番組名」、「終了時期」の各欄は、テーブル１４５に記憶されたシリーズ番組名が同一（以下、同一シリーズ番組とする）の各話のシリーズ番組情報について共通したものが記載される。ただし、「終了時期」に記載されるシリーズの終了時期が、計時部１６で計時される現在日時以前のものである場合は、「終了」と記載される。
次いで、「予約状況」は、ＣＰＵ１４２が、後述のリスト表示制御プログラム１４４ｉを実行してシリーズ番組一覧画面５００が表示され、ユーザによりリモコン部２を介して所定のシリーズ番組について全話の一括予約設定された際に、「予約済」と記載される。
次いで、「話数」は、計時部１６で計時される現在日時と、テーブル１４５に記憶された同一シリーズ番組の各話のシリーズ番組情報の「放送予定日時」を対比し、現在日時の直前の「放送予定日時」を有する「話数」（即ち、現在日時までに放送されたシリーズ番組の総話数）が検索されて記載されている。
次いで、「保護方式（確認）」は、テーブル１４５に記憶された同一シリーズ番組の各話のシリーズ番組情報の「保護方式（確認）」の中に、一つでも「済」と記載されたものがある場合は、「済」と記載され、「済」と記載されたものが存在しない場合は「未確認」と記載される。
次いで、「保護方式（方式名）」は、テーブル１４５に記憶された同一シリーズ番組の各話のシリーズ番組情報の「保護方式（方式名）」が、全て同一である場合はその方式名を記載し、一つでも異なるものが存在する場合は「混在」と記載される。ただし、上記「保護方式（確認）」が「未確認」と記載されたシリーズ番組については何も記載されない。
次いで、「次回放送予定日時」は、計時部１６で計時される現在日時と、テーブル１４５に記憶された同一シリーズ番組の各話のシリーズ番組情報の「放送予定日時」を対比し、現在日時直後の「放送予定日時」（即ち、シリーズ番組の次回話の放送予定日時）を記載する。
次いで、「録画状況」は、テーブル１４５に記憶された同一シリーズ番組の全てのシリーズ番組情報について、「終了時期」が「終了」と記載されており、かつ、「録画日」が全て記載されている場合に、「全話録画済」と記載する。そして、テーブル１４５に記憶された同一シリーズ番組の全てのシリーズ番組情報について、「終了時期」が「終了」と記載されておらず、かつ、「録画日」が全て記載されている場合、又は、テーブル１４５に記憶された同一シリーズ番組の全てのシリーズ番組情報について、「終了時期」が「終了」と記載されており、かつ、「録画日」が記載されているものと記載されていないものが混在する場合は、「録画状況」は「一部録画済」と記載する。また、その他の場合は「録画状況」は空白となる。
【００４１】
リスト表示制御プログラム１４４ｉは、シリーズテーブル１４６に基づいて、各シリーズ番組についての所定の情報を、ネットワークごとに、テレビ受像機２００を介してリストとして表示画面２００ａに一覧表示させるプログラムである。
つまり、ＣＰＵ１４２は、リスト表示制御プログラム１４４ｉを実行することにより、シリーズテーブル１４６を用いて、例えば、図４に示すように、シリーズ番組一覧画面５００（一例として、ネットワークはＢＳとし、以降の画面でも同様とする）として、テレビ受像機２００の表示画面２００ａにリスト表示する。そして、ボタン／キー機能説明部５００ａに表示されるように、リモコン部２の所定の操作に応じて、ＣＰＵ１４２がリスト表示制御プログラム１４４ｉを実行し、ネットワークごとの表示切換えが可能になっている。したがって、リスト表示制御プログラム１４４ｉはリスト表示制御手段として機能する。
このシリーズ番組一覧画面５００に表示される、各リスト（各シリーズ番組）の項目「ＣＨ  Ｎｏ」、「予約状況」、「シリーズ番組名」、「話数」、「保護方式（確認）」、「保護方式（方式名）」「終了時期」、「次回放送予定日」、「録画状況」は、シリーズテーブル１４６の中で、「ネットワーク名」がＢＳであるシリーズ番組の、それぞれ「放送チャンネル」、「予約状況」、「シリーズ番組名」、「話数」、「保護方式（確認）」、「保護方式（方式名）」、「終了時期」、「次回放送予定日時」に含まれる日付、「録画状況」に記載されたものが表示されている。
【００４２】
放送中リスト表示制御プログラム１４４ｊは、テレビ受像機２００の表示画面２００ａにシリーズ番組一覧画面５００が表示された状態で、リモコン部２の操作に応じて、現在放送中のシリーズ番組についての所定の情報を、表示画面２００ａに表示制御する。
つまり、ＣＰＵ１４２は、テレビ受像機２００の表示画面２００ａにシリーズ番組一覧画面５００が表示された状態で、ボタン／キー機能説明部５００ａに表示されるように、ユーザがリモコン部２の「黄ボタン」を押下して、その入力操作信号を受け取ると、放送中リスト表示制御プログラム１４４ｊを実行し、例えば、図５の放送中シリーズ番組一覧画面５０１に示すように、シリーズ番組一覧画面５００の各シリーズ番組の「終了時期」に「終了」と記載されたシリーズ番組を省いて、リストの再描画を実行する。
そのため、リスト数が膨大となり表示が煩雑化し、ユーザが現在も放送されているシリーズ番組に関する情報だけを知りたい場合等に有効な表示限定方法といえる。
【００４３】
録画リスト表示制御プログラム１４４ｋは、テレビ受像機２００の表示画面２００ａにシリーズ番組一覧画面５００又は放送中シリーズ番組一覧画面５０１が表示された状態で、リモコン部２の操作に応じて、録画対象となっているシリーズ番組についての所定の情報を、表示画面２００ａにリスト表示する。
つまり、ＣＰＵ１４２は、テレビ受像機２００の表示画面２００ａにシリーズ番組一覧画面５００又は放送中シリーズ番組一覧画面５０１が表示された状態で、ボタン／キー機能説明部５００ａ、５０１ａに表示されるように、ユーザがリモコン部２の「赤ボタン」を押下して、その入力操作信号を受け取ると、例えば、図６のシリーズ番組録画一覧画面５０２に示すように、シリーズ番組一覧画面５００又は放送中シリーズ番組一覧画面５０１より、各シリーズ番組の「録画状況」が空白のシリーズ番組を省いたリストとして表示されるので、ユーザは録画対象としているシリーズ番組に関する情報だけを把握することが出来る。
なお、シリーズ番組録画一覧画面５０２では、シリーズ番組一覧画面５００又は放送中シリーズ番組一覧画面５０１のリスト表示項目から、「予約状況」、「保護方式（確認）」、「終了時期」の項目が省略され、シリーズ番組の録画状態を把握するための最小限の構成とし、ユーザビリティの向上を図っている。
【００４４】
各話リスト表示制御プログラム１４４ｌは、シリーズ番組一覧画面５００、放送中シリーズ番組一覧画面５０１、シリーズ番組録画一覧画面５０２、の何れかの画面がテレビ受像機２００の表示画面２００ａに表示され、ユーザにより所定のシリーズ番組が選択された状態で、リモコン部２の操作に応じて、現在放送中のシリーズ番組の各話についての所定の情報を、表示画面２００ａに表示制御する。
つまり、ＣＰＵ１４２は、各話リスト表示制御プログラム１４４ｌの実行により、上記何れかの画面が表示中に、ユーザが所定のシリーズ番組を選択し、ボタン／キー機能説明部５００ａ、５０１ａ、５０２ａに表示されるように、リモコン部２の「緑ボタン」を押下して、その入力操作信号を受け取ると、例えば、図７のシリーズ番組録画状況表示画面５０４に示されるように、ユーザにより選択されたシリーズ番組と同じシリーズ番組名を有するシリーズ番組情報がテーブル１４５より検索され、選択されたシリーズ番組の各話の録画状況をリストとして表示する第２リスト表示制御手段として機能する。
ここで、シリーズ番組録画状況表示画面５０４の各リスト（各話）の項目「タイトル」「話」、「保護方式」、「録画日」、「視聴」、「ダビング残数」はそれぞれ、テーブル１４５の「タイトル」、「話数」、「保護方式（方式名）」、「録画日」、「視聴」、「コピー処理可能残数」、の欄に記載されたものが表示されている。
さらに、図７のシリーズ番組録画状況表示画面５０４が表示された状態で、ユーザがリモコン部２を操作してシリーズ番組の所定の話数が選択されると、ＣＰＵ１４２は、各話リスト表示制御プログラム１４４ｌの実行により、図８のダビング／ムーブ操作画面５０４ｂに示すように、その話数について、ユーザにダビング残数（コピー処理可能な残数）を報知するとともに、ダビング（コピー処理）やムーブ操作（ムーブ処理）の実行を選択させる画面を表示することができる。
【００４５】
確認チャンネル一覧表示制御プログラム１４４ｍは、テレビ受像機２００の表示画面２００ａに、シリーズ番組一覧画面５００、放送中シリーズ番組一覧画面５０１、シリーズ番組録画一覧画面５０２、の何れかの画面が表示された状態で、リモコン部２の操作に応じて、「ＣＨ  Ｎｏ」（放送チャンネル）と「放送局名」を、表示画面２００ａにリストとして表示する。
つまり、ＣＰＵ１４２は、テレビ受像機２００の表示画面２００ａに上記何れかの画面が表示された状態で、ボタン／キー機能説明部５００ａ、５０１ａ、５０２ａに表示されるように、ユーザがリモコン部２の「青ボタン」を押下して、その入力操作信号を受け取ると、例えば、図９のチャンネル一覧画面５０５に示すように、ＲＯＭ１４４に格納された放送チャンネル一覧データをリストとして表示することが出来る。
そして、チャンネル一覧画面５０５が表示された状態で、ユーザが所定の放送チャンネルを選択して、リモコン部２の「決定ボタン」を押下することにより、図１０のシリーズ番組確認チャンネル選択画面５０６が表示され、その選択した放送チャンネルをシリーズ番組が存在するか否かを確認する放送チャンネル（シリーズ番組確認チャンネル）として選択することが可能となり、前述のシリーズ番組情報検索プログラム１４４ａによってシリーズ番組情報が検索される放送チャンネルとなる。そのため、確認チャンネル一覧表示制御プログラム１４４ｍは放送チャンネル選択手段として機能する。
さらに、図１０のシリーズ番組確認チャンネル選択画面５０６において、ユーザが所定の放送チャンネルをシリーズ番組確認チャンネルとして選択した場合、図１１の保護方式確認チャンネル選択画面５０７が表示され、リモコン部２の「決定ボタン」を押下することにより、その選択した放送チャンネル（保護方式確認チャンネル）で放送されるシリーズ番組について、著作権保護方式を確認することが可能になる。
【００４６】
有料チャンネル一覧表示制御プログラム１４４ｎは、テレビ受像機２００の表示画面２００ａにチャンネル一覧画面５０６が表示された状態で、リモコン部２の操作に応じて、有料チャンネルを対象とした、「ＣＨ  Ｎｏ」（放送チャンネル）と「放送局名」を、表示画面２００ａにリスト表示する。
つまり、ＣＰＵ１４２は、確認チャンネル一覧表示制御プログラム１４４ｍを実行し、テレビ受像機２００の表示画面２００ａに、図１０のチャンネル一覧画面５０６が表示された状態で、ユーザがリモコン部２の「赤ボタン」を押下して、その入力操作信号を受け取ると、例えば、図１２の有料チャンネル一覧画面５０８に示すように、ＲＯＭ１４４に格納された放送チャンネル一覧データに基づいて、有料チャンネルのみをリストとして表示することが出来る。
そして、この有料チャンネル一覧画面５０８が表示された状態で、確認チャンネル一覧表示制御プログラム１４４ｍが実行された場合と同様に、図１３に示すシリーズ番組確認チャンネル選択画面５０９が表示されて、シリーズ番組が存在するか否かの確認を行う放送チャンネルの選択が可能となり、図１４に示す保護方式確認チャンネル選択画面５１０が表示されて、その選択した放送チャンネルで放送されるシリーズ番組について著作権保護方式を確認するか否かの選択をすることが出来る。そのため、有料チャンネル一覧表示制御プログラム１４４ｎは放送チャンネル選択手段として機能する。
したがって、シリーズ番組ごとに異なる著作権保護方式が採用されている可能性の高い有料チャンネルのみを対象としたチャンネル一覧が表示され、上記選択を行うことが出来るので、更なるユーザビリティ向上を図ることが出来る。
【００４７】
確認チャンネルテーブル作成プログラム１４４ｏは、確認チャンネルテーブル１４７を作成し、記憶部１４３に記憶するプログラムである。
つまり、ＣＰＵ１４２が確認チャンネル一覧表示制御プログラム１４４ｍ及び／又は有料チャンネル一覧表示制御プログラム１４４ｎを実行し、所定の放送チャンネルをシリーズ番組確認チャンネル及び／又は保護方式確認チャンネルとして選択した情報を、確認チャンネルテーブル作成プログラム１４４ｏを実行することにより、図１５に示すような確認チャンネルテーブル１４７として、記憶部１４３に記憶することが出来る。
ここで、確認チャンネルテーブル１４７は、図１５に示すように、「ネットワーク名」、「放送チャンネル」、「シリーズ番組確認チャンネル」、「次回更新日」、「保護方式確認チャンネル」のデータ項目から構成される。
まず、「ネットワーク名」及び「放送チャンネル」は、ＲＯＭ１４４に格納された放送チャンネル一覧データに基づいて記述される。
次いで、「シリーズ番組確認チャンネル」、「保護方式確認チャンネル」は、ＣＰＵ１４２の確認チャンネル一覧表示制御プログラム１４４ｍ及び／又は有料チャンネル一覧表示制御プログラム１４４ｎの実行により、「放送チャンネル」がシリーズ番組確認チャンネル及び／又は保護方式確認チャンネルとして選択された場合に「対象」と記述される。
次いで、「次回更新日」は、「シリーズ番組確認チャンネル」が「対象」と記述された放送チャンネルについて、ＣＰＵ１４２がシリーズ番組情報検索プログラム１４４ａを実行した日付（即ち、その放送チャンネルについて定められた番組情報の発信日）に、番組情報が更新されるまでの所定期間（通常、８日間程度）を足した日付が記載される。
【００４８】
特定プログラム１４４ｐは、現在ユーザの選択しているネットワークと、選局している放送チャンネルを特定する放送チャンネル特定手段である。
つまり、ＣＰＵ１４２が、特定プログラム１４４ｐを実行することにより、チューナ部３より、現在選択されているネットワーク及び選局されている放送チャンネルに関する所定の出力信号を受信することにより、現在ユーザの選択しているネットワークと、選局している放送チャンネルを特定することができる。
【００４９】
時刻判断プログラム１４４ｑは、計時部１６により計時される現在時刻が、シリーズテーブル１４５に記憶された所定のシリーズ番組情報の「放送予定日時」より所定時間前にあるか否かを判断する時刻判断手段である。
つまり、ＣＰＵ１４２が、時刻判断プログラム１４４ｑを実行することにより、シリーズテーブル１４５に記憶された所定のシリーズ番組情報の「放送予定日時」を抽出し、計時部１６により計時される現在時刻が、その放送予定日時より所定時間（例えば、１０分等）前にあるか否かを判断する。
【００５０】
一致判断プログラム１４４ｒは、時刻判断プログラム１４４ｑにより、所定時間前にあると判断された場合に、特定プログラム１４４ｐにより特定されたネットワークのネットワーク名及び放送チャンネルと、シリーズテーブル１４５に記憶された所定のシリーズ番組情報の「ネットワーク名」及び「放送チャンネル」と、が一致するか否かを判断する一致判断手段である。
つまり、ＣＰＵ１４２が、一致判断プログラム１４４ｒを実行することにより、ユーザが現在選択しているネットワークのネットワーク名、かつ、選局（視聴）している放送チャンネルが、シリーズテーブル１４５に記憶された所定のシリーズ番組情報の「ネットワーク名」及び「放送チャンネル」と、が一致するか否かを判断することが出来る。
そして、ＣＰＵ１４２が一致していると判断した場合は、受信プログラム１４４ｃにより、そのシリーズ番組のデジタル放送データが受信され、一致していないと判断した場合は、後述のメッセージ表示プログラム１４４ｓ（又は決定プログラム１４４ｔ）を実行する。
【００５１】
メッセージ表示プログラム１４４ｓは、一致判断プログラム１４４ｒにより一致していないと判断された場合に、ユーザにシリーズテーブル１４５に記憶された所定のシリーズ番組のネットワークを選択して放送チャンネルに選局を促す旨を、テレビ受像機２００の表示画面２００ａに表示する表示制御手段である。
つまり、ＣＰＵ１４２が、一致判断プログラム１４４ｒにより一致していないと判断した場合、メッセージ表示プログラム１４４ｓを実行すると、図１６に示すメッセージ表示画面のように、著作権保護方式を確認するために、ユーザに、所定のシリーズ番組のネットワークの選択及び放送チャンネルの選局を促すメッセージを、所定時間テレビ受像機２００の表示画面２００ａに表示する表示手段として機能している。そして、所定時間内に、ユーザにより所定のシリーズ番組のネットワークの選択及び放送チャンネルの選局がなされると、ＣＰＵ１４２が受信プログラム１４４ｃを実行し、そのシリーズ番組のデジタル放送データを受信する。
なお、メッセージ表示プログラム１４４ｓは、後述の決定プログラム１４４ｔの実行により、図１７の第２メッセージ表示画面又は図１８の第３メッセージ表示画面を表示させるものであってもよい。
【００５２】
決定プログラム１４４ｔは、メッセージ表示プログラム１４４ｓの実行により、図１７の第２メッセージ表示画面又は図１８の第３メッセージ表示画面を表示させるとともに、ユーザにネットワークの選択及び放送チャンネルの選局を行うか否かを決定させる。
すなわち、ＣＰＵ１４２が決定プログラム１４４ｔを実行すると、メッセージ表示プログラム１４４ｓを実行し、図１７の第２メッセージ表示画面又は図１８の第３メッセージ表示画面に示すようなメッセージを表示するととともに、著作権保護方式を確認するために、ユーザにリモコン部２の操作を介して、所定のシリーズ番組のネットワークの選択及び放送チャンネルの選局を行うか否かを決定させることができる。
そして、ＣＰＵ１４２は決定プログラム１４４ｔの実行により、ユーザによって、所定のシリーズ番組のネットワークの選択及び放送チャンネルの選局を行うと決定された場合、チューナ部３を介して上記ネットワーク及び放送チャンネルへの切換えを行うため、受信プログラム１４４ｃにより、そのシリーズ番組のデジタル放送データを受信することが可能となる。
【００５３】
コピー処理プログラム１４４ｚは、ディスクドライブ８に記録されたデジタル放送データを、ＤＶＤドライブ１８の記録媒体に対してコピー処理するプログラムである。
つまり、ＣＰＵ１４２は、コピー処理プログラム１４４ｚを実行すると、ディスクドライブ８に記録されたデジタル放送データを、ＤＶＤドライブ１８に装填されたＤＶＤに対してコピー処理（ダビング）するダビング処理手段として機能する。
【００５４】
計時部１６は、現在時刻を計時し、ＣＰＵ１４２からの制御出力に応じて、計時した現在時刻データを、ＣＰＵ１４２に対して出力する。
【００５５】
ＤＶＤドライブ１８は、例えば、図示は省略するが、ＤＶＤドライブ１８に対して着脱自在なＤＶＤと、ＤＶＤに対するデータの記録及びＤＶＤに記録されたデータの読み出しを行う光ピックアップと、ＤＶＤドライブ１８に装填されたＤＶＤを回転駆動させるとともに光ピックアップをＤＶＤの半径方向に移動させるための駆動部等を備えている。
具体的には、ＤＶＤは、ＤＶＤ−Ｒ（ＤＶＤ−Ｒｅｃｏｒｄａｂｌｅ）等の追記型ディスクや、ＤＶＤ−ＲＷ（ＤＶＤ−ＲｅＷｒｉｔａｂｌｅ）、ＤＶＤ−ＲＡＭ（ＤＶＤ−Ｒａｎｄｏｍ  Ａｃｃｅｓｓ  Ｍｅｍｏｒｙ）等の書き換え可能なディスクである。
このＤＶＤドライブ１８では、記録処理及びコピー処理において、光ピックアップにより、ＤＶＤの反射層にレーザ光を照射し、反射光による加熱により記録層の結晶構造を変化させてピットを形成することにより、ＤＶＤに対するデータの書き込みを行う。つまり、ＤＶＤドライブ１８は、チューナ部３等を介して受信したデジタル放送データや、ディスクドライブ８に記録されたデジタル放送データをＤＶＤに書き込み、記録する。
また、ＤＶＤドライブ１８では、再生処理及びコピー処理において、光ピックアップによりＤＶＤの反射層にレーザ光を照射し、光電変換及び電流電圧変換によって反射光に応じた電圧信号を生成することにより、ＤＶＤに記録されたデジタル放送データの読み出しを行う。
【００５６】
テレビ受像機２００は、液晶表示画面としての表示画面２００ａやスピーカ（図示省略）を備えて構成され、出力インターフェース部１１を介して入力されたデジタル放送データの映像／音声データに基づくデジタル放送を、表示画面２００ａやスピーカにて映像／音声出力することが出来る。
【００５７】
＜確認チャンネル設定処理＞
次に、当該ＨＤＤレコーダ１における、シリーズ番組確認チャンネル及び保護方式確認チャンネル設定処理について、図１９のフローチャートを参照して説明する。
【００５８】
まず、ＣＰＵ１４２が確認チャンネル一覧表示制御プログラム１４４ｍを実行し、テレビ受像機２００の表示画面２００ａにチャンネル一覧画面５０５が表示されているものとする（ステップＳ１）。
【００５９】
次いで、チャンネル一覧画面５０５が表示された状態にて、ユーザによってリモコン部２の「赤ボタン」が押下された場合（ステップＳ２；Ｙｅｓ）、その入力操作信号がＣＰＵ１４２に入力されると、ＣＰＵ１４２は有料チャンネル一覧表示制御プログラム１４４ｎを実行し、テレビ受像機２００の表示画面２００ａに有料チャンネル一覧画面５０８が表示され（ステップＳ３）、図２０のＡ１に移行する。
一方で、チャンネル一覧画面５０５が表示された状態にて、ユーザによってリモコン部２の「赤ボタン」が押下されていない場合（ステップＳ２；Ｎｏ）、図２０のＡ１に移行する。
【００６０】
Ａ１において、ユーザがリモコン部２を操作して、チャンネル一覧画面５０５又は有料チャンネル一覧画面５０８に表示される放送チャンネルから、所定のチャンネルを選択した場合（ステップＳ４；Ｙｅｓ）、ＣＰＵ１４２の確認チャンネル一覧表示制御プログラム１４４ｍ又は有料チャンネル一覧表示制御プログラム１４４ｎの実行により、シリーズ番組確認チャンネル選択画面５０６、５０９がテレビ受像機２００の表示画面２００ａに表示される（ステップＳ５）。
【００６１】
次いで、ステップＳ５にて選択した所定のチャンネルを、ユーザがシリーズ番組確認チャンネルとして選択すると（ステップＳ６；Ｙｅｓ）、ＣＰＵ１４２の確認チャンネル一覧表示制御プログラム１４４ｍ又は有料チャンネル一覧表示制御プログラム１４４ｎの実行により、保護方式確認チャンネル選択画面５０７、５１０がテレビ受像機２００の表示画面２００ａに表示される（ステップＳ７；Ｙｅｓ）。一方で、ステップＳ５にて選択した所定のチャンネルを、ユーザがシリーズ番組確認チャンネルとして選択しなかった場合（ステップＳ６；Ｎｏ）、ステップＳ４に戻る。
【００６２】
次いで、ステップＳ７にて保護方式確認チャンネル選択画面５０７、５１０が表示された状態で、ステップＳ６；Ｙｅｓにおいてシリーズ番組確認チャンネルとして選択した放送チャンネルを、ユーザが保護方式確認チャンネルとして更に選択すると（ステップＳ８；Ｙｅｓ）、チャンネル一覧画面５０５又は有料チャンネル一覧画面５０８において、その選択された放送チャンネルの「シリーズ番組の確認」、「保護方式の確認」に、「選択」と表示されて放送チャンネルの選択状態の更新がなされ（ステップＳ９）、ステップＳ４に戻る。一方で、ステップＳ７にて保護方式確認チャンネル選択画面５０７、５１０が表示された状態で、ステップＳ６；Ｙｅｓにおいて選択した放送チャンネルを、ユーザが保護方式確認チャンネルとして選択しなかった場合（ステップＳ８；Ｎｏ）、チャンネル一覧画面５０５又は有料チャンネル一覧画面５０８において、その選択された放送チャンネルの「シリーズ番組の確認」のみが「選択」と表示されて、放送チャンネルの選択状態が更新され（ステップＳ１０）、ステップＳ４に戻る。
【００６３】
そして、ステップＳ４において、チャンネル一覧画面５０５又は有料チャンネル一覧画面５０８に表示される放送チャンネルから、いずれのチャンネルも選択されない場合（ステップＳ４；Ｎｏ）、テレビ受像機２００の表示画面２００ａに有料チャンネル一覧画面５０８が表示されている時（ステップＳ１１；Ｙｅｓ）はＡ２に移行し、有料チャンネル一覧画面５０８ではない時（即ち、チャンネル一覧画面５０５が表示されている時）は、Ａ３に移行する。
【００６４】
Ａ２において、即ち、テレビ受像機２００の表示画面２００ａに有料チャンネル一覧画面５０８が表示された状態において、ユーザが有料チャンネル一覧画面５０８を終了させない（有料チャンネルについての確認チャンネルの設定を継続する）場合は、再びＡ１に移行する（ステップＳ１２；Ｎｏ）。
一方で、ユーザがリモコン部２の「戻る」ボタンを押下して有料チャンネル一覧画面５０８を終了させ（ステップＳ１２；Ｙｅｓ）、チャンネル一覧画面５０５に戻る場合、ＣＰＵ１４２は、確認チャンネル一覧表示制御プログラム１４４ｍを実行し、ステップＳ２に戻る（ステップＳ１３；Ｎｏ）。
さらに、Ａ２において、ユーザがリモコン部２の「メニュー」ボタンの押下等により、有料チャンネル一覧画面５０８及びチャンネル一覧画面５０５の両方を終了させる場合、ＣＰＵ１４２が確認チャンネルテーブル作成プログラム１４４ｏを実行し、確認チャンネルテーブル１４７の記載を、チャンネル一覧画面５０５又は有料チャンネル一覧画面５０８に表示される、シリーズ番組確認チャンネル及び保護方式確認チャンネルの設定情報に基づいて更新する（ステップＳ１４）。
【００６５】
Ａ３においては、即ち、テレビ受像機２００の表示画面２００ａにチャンネル一覧画面５０５が表示された状態において、ユーザがチャンネル一覧画面５０５を終了させない（放送チャンネルについての確認チャンネルの設定を継続する）場合は、再びＡ１に移行する（ステップＳ１５；Ｎｏ）。一方で、ユーザがリモコン部２の「メニュー」ボタンの押下等により、チャンネル一覧画面５０５を終了させる場合は、ステップＳ１４に進む。
以上により、ＨＤＤレコーダ１において、シリーズ番組が存在するか否かの確認をするチャンネルの設定、及び著作権保護方式の確認を行うチャンネルの設定がなされる。
【００６６】
＜シリーズ番組情報検索更新処理＞
次に、当該ＨＤＤレコーダ１における、シリーズ番組情報の検索更新処理について、図２１のフローチャートを参照して説明する。
【００６７】
まず、ＨＤＤレコーダ１がスタンバイ状態にある時の所定の日時に、ＣＰＵ１４２が確認チャンネルテーブル１４７を参照して、それぞれのシリーズ番組確認チャンネルの次回更新日と、計時部１６で計時される現在日の比較を行う（ステップＳ１０１）。
【００６８】
次いで、ステップＳ１０１において、ＣＰＵ１４２が、次回更新日が現在日以前（次回更新日が未記入のものも含む）であるシリーズ番組確認チャンネルを検索できた場合（ステップＳ１０２；Ｙｅｓ）、ＣＰＵ１４２は、シリーズ番組情報検索プログラム１４４ａを実行し、チューナ部３を介して該当する放送チャンネル（シリーズ番組確認チャンネル）の番組情報を取得し（ステップＳ１０３）、シリーズ番組確認チャンネルにあるシリーズ番組情報を全て検索する（ステップＳ１０４）。
【００６９】
次いで、ステップＳ１０４により、一以上のシリーズ番組情報が検索できた場合（ステップＳ１０５；Ｙｅｓ）、ＣＰＵ１４２は、シリーズ番組記憶プログラム１４４ｂを実行することにより、検索されたシリーズ番組情報をテーブル１４５に追加記憶し（ステップＳ１０６）、さらに、シリーズテーブル作成プログラム１４４ｈを実行することにより、シリーズテーブル１４６の更新記憶を行う（ステップＳ１０６）。
【００７０】
次いで、ステップＳ１０６にて、テーブル１４５とシリーズテーブル１４６が更新された場合、及び、ステップＳ１０４により、シリーズ番組情報が検索できなかった場合（ステップＳ１０５；Ｎｏ）、全てのシリーズ番組確認チャンネルについて、次回更新日が現在日以前であるか否かの確認がなされているかが判断される（ステップＳ１０７）。そして、上記確認がなされていないシリーズ番組確認チャンネルが存在する場合は、ステップＳ１０２に戻り（ステップＳ１０７；Ｎｏ）、Ｓ１０２からＳ１０７までの処理を繰り返す。一方で、上記確認が全てのシリーズ番組確認チャンネルについてなされた場合は（ステップＳ１０７；Ｙｅｓ）、シリーズ番組情報の検索更新処理が終了する。
したがって、上記処理によりテーブル１４５とシリーズテーブル１４６の更新がなされるため、ＣＰＵ１４２が、リスト表示制御プログラム１４４ｉを実行した場合に、シリーズ番組一覧画面５００に最新のシリーズ番組のリストを表示することが出来る。
【００７１】
＜著作権保護方式確認処理＞
次に、当該ＨＤＤレコーダ１における、シリーズ番組の著作権保護方式確認処理について、図２２のフローチャートを参照して説明する。
【００７２】
まず、ＣＰＵ１４２は、シリーズテーブル１４６及び確認チャンネルテーブル１４７を参照する（ステップＳ５０１）。
【００７３】
次いで、ＣＰＵ１４２は、時刻判断プログラム１４４ｑを実行することで、ステップＳ５０１にて参照されるシリーズテーブル１４６の所定のシリーズ番組の「次回放送予定日時」が、計時部１６にて計時される現在日時より所定時間前にあるか否かを判断し、かつ、そのシリーズ番組の「放送チャンネル」が、確認チャンネルテーブル１４７の「保護方式（対象）」対象と記載されているか（即ち、保護方式確認チャンネルであるか）否かが判断される（ステップＳ５０２）。
【００７４】
上記シリーズ番組がステップＳ５０２の条件を満たしている場合（ステップＳ５０２；Ｙｅｓ）、ＨＤＤレコーダ１がスタンバイ状態にあるか否かを判断する（ステップＳ５０３）。
そして、ＨＤＤレコーダ１がスタンバイ状態にある場合（ステップＳ５０３；Ｙｅｓ）、Ｂ１に移行する。
【００７５】
一方で、上記シリーズ番組がステップＳ５０２の条件を満たしていない場合（ステップＳ５０２；Ｎｏ）、ステップＳ５０５に移行する。
【００７６】
また、ＨＤＤレコーダ１がスタンバイ状態に無い場合（ステップＳ５０３；Ｎｏ）、ＣＰＵ１４２が、一致判断プログラム１４４ｒを実行し、ステップＳ５０２において判断された所定のシリーズ番組の放送チャンネルを、ユーザが現在視聴（選局）しているか否かが判断される（ステップＳ５０４）。そして、ＣＰＵ１４２が、ユーザが現在視聴（選局）していると判断した場合（ステップＳ５０４；Ｙｅｓ）、Ｂ１に移行し、その一方で、異なるチャンネルをユーザが選局していると判断した場合（ステップＳ５０４；Ｎｏ）、Ｂ２に移行する。
【００７７】
そして、このＢ１及びＢ２の処理が終了した場合、また、ステップＳ５０２の条件を満たしていない場合（ステップＳ５０２；Ｎｏ）、シリーズテーブル１４６に記載の全てのシリーズ番組について、ステップＳ５０２の確認がなされたか否かを判断し、未確認のシリーズ番組が存在する場合（ステップＳ５０５；Ｎｏ）、シリーズテーブル１４６から異なるシリーズ番組を抽出してＳ５０２以降の処理を繰り返し、全てのシリーズ番組が確認されている場合（ステップＳ５０５；Ｙｅｓ）、著作権保護方式確認処理を終了する。
【００７８】
（Ｂ１処理について）
Ｂ１においては、図２３に示されるように、ステップＳ５０２にて判断された所定のシリーズ番組の著作権保護方式の確認処理がなされる。
つまり、ステップＳ６０１において、ＣＰＵ１４２が受信プログラム１４４ｃを実行することにより、ステップＳ５０２にて判断された所定のシリーズ番組（デジタル放送データ）の受信を開始する（ステップＳ６０１）。
そして、ＣＰＵ１４２が判断プログラム１４４ｄを実行することにより、ステップＳ６０１により所定のシリーズ番組が受信されると、著作権保護方式の判断がなされる（ステップＳ６０２）。
そして、ＣＰＵ１４２は上記所定のシリーズ番組の受信が終了したか否かの判断を行い（ステップＳ６０３）、終了していない場合（ステップＳ６０３；Ｎｏ）は、ステップＳ６０２以降の処理を繰り返し実行する。
一方で、ＣＰＵ１４２が受信を終了したと判断する（ステップＳ６０３；Ｙｅｓ）と、テーブル１４５の「保護方式（方式名）」及び「保護方式（確認）」の欄を更新し、更にシリーズテーブル作成プログラム１４４ｈを実行してシリーズテーブル１４６を更新する（ステップＳ６０４）。
【００７９】
（Ｂ２処理について）
Ｂ２においては、図２４に示されるように、ステップＳ５０２において判断された所定のシリーズ番組の放送チャンネルとは異なるチャンネルをユーザが選局している場合に、ユーザにシリーズ番組の放送チャンネルに選局するように促す処理を行う。
つまり、ＣＰＵ１４２が、メッセージ表示プログラム１４４ｓを実行し、図２４に示されるように、テレビ受像機２００の表示画面２００ａに、著作権保護方式を確認するために、所定のシリーズ番組のネットワークの選択及び放送チャンネルの選局を促すメッセージを表示する（ステップＳ７０１ａ）。
そして、ＣＰＵ１４２は、リモコン部２からの入力操作信号により、ユーザによって所定時間内にシリーズ番組の放送されるネットワーク及びチャンネルに切換えられたか否かが判断され（ステップＳ７０２ａ）、所定時間内に切換えられた場合（ステップＳ７０２ａ；Ｙｅｓ）はＢ１に移行し、所定時間内に切換えられない場合（ステップＳ７０２ａ；Ｎｏ）はＢ２を終了する。
【００８０】
なお、上記Ｂ２処理は、図１７又は図１８に示されるように、ステップＳ５０２において判断された所定のシリーズ番組の放送チャンネルとは異なるチャンネルをユーザが選局している場合に、ユーザにシリーズ番組の放送チャンネルに選局するか否かを決定させる処理であっても良い。
つまり、ＣＰＵ１４２が、決定プログラム１４４ｔを実行すると、メッセージ表示プログラム１４４ｓの実行により図１７又は図１８に示されるように、テレビ受像機２００の表示画面２００ａに、著作権保護方式を確認するために、所定のシリーズ番組のネットワークの選択及び放送チャンネルの選局を行うか否かを決定するメッセージを表示する（ステップＳ７０１ｂ）。
そして、ＣＰＵ１４２は、シリーズ番組の放送される放送チャンネルへの切換えがユーザによって選択された場合（ステップＳ７０２ｂ；Ｙｅｓ）、Ｂ１に移行し、Ｂ１終了後に切換える前の放送チャンネルに戻し（ステップＳ７０３ｂ）、Ｂ２を終了する。
一方で、ＣＰＵ１４２は、所定時間内にシリーズ番組の放送される放送チャンネルへの切換えがユーザによって選択されなかった場合（ステップＳ７０２ｂ；Ｎｏ）、Ｂ２を終了する。
【００８１】
＜コピー処理可能残数更新処理＞
次に、当該ＨＤＤレコーダ１における、ＨＤＤドライブ８に記録済みのシリーズ番組のコピー処理可能残数更新処理について、図２５のフローチャートを参照して説明する。
【００８２】
まず、ＣＰＵ１４２の録画済みシリーズ番組情報判別プログラム１４４ｅの実行により、テーブル１４５に「録画日」が記載されているシリーズ番組情報を備えるデジタル放送データについて、ユーザがリモコン部２を操作してコピー処理を選択すると、ＣＰＵ１４２は、コピー処理プログラム１４４ｚを実行してＤＶＤドライブ１８の記録媒体に対してコピー処理を行う（ステップＳ８０１）。
【００８３】
次いで、ＣＰＵ１４２はコピー処理回数算出プログラム１４４ｆを実行し、そのデジタル放送データについて、ディスクドライブ８のコピー処理された回数（履歴情報）を１回分（ステップＳ８０１にてコピー処理された分）増加する更新を行う（ステップＳ８０２）。
【００８４】
そして、ＣＰＵ１４２はコピー残数算出プログラム１４４ｇの実行により、そのデジタル放送データについて、コピー処理可能残数を算出し、テーブル１４５の「コピー処理可能残数」の更新を行う（ステップＳ８０３）。
【００８５】
以上説明した本実施形態のＨＤＤレコーダ１によれば、シリーズ番組情報検索プログラム１４４ａ及びシリーズ番組記憶プログラム１４４ｂの実行により、抽出部３を介して、番組情報からシリーズ番組情報を検索してテーブル１４５に記憶する。そして、受信プログラム１４４ｃの実行により、そのシリーズ番組情報と同じシリーズ番組情報を備えたデジタル放送データを受信して、判断プログラム１４４ｄの実行により、そのデジタル放送データの著作権保護方式を判断し、そのデジタル放送データのシリーズ番組情報と、上記判断結果と、その著作権保護方式に定められたコピー処理可能回数をリスト表示制御プログラム１４４ｉの実行により一覧表示させることが出来る。
【００８６】
つまり、ＨＤＤレコーダ１は、ユーザにシリーズ番組の録画に関する多様な情報を一見して取得することを可能にさせる。
【００８７】
また、ＨＤＤレコーダ１は、ディスクドライブ８に記録され、著作権保護方式の判断されたシリーズ番組情報を備えるデジタル放送データが、コピー処理プログラム１４４ｚの実行によりダビング（コピー処理）され、シリーズ番組記憶プログラム１４４ｂの実行により、初期値としてテーブル１４５に記憶された、そのデジタル放送データのコピー処理可能残数を、コピー処理回数算出プログラム及びコピー残数算出プログラム１４４ｇの実行により更新し、そのコピー処理可能残数をシリーズ番組情報とともに上記リスト表示制御プログラム１４４ｉの実行により一覧表示させることが出来る。
【００８８】
つまり、ＨＤＤレコーダ１は、ディスクドライブ８に記録され、著作権保護方式の判断されたシリーズ番組情報を備えるデジタル放送データについて、コピー処理を実行可能な回数を逐次ユーザに報知することが可能となる。
【００８９】
また、ＨＤＤレコーダ１は、録画済みシリーズ番組情報検索プログラム１４４ｅの実行により、上記ディスクドライブ８に記憶されたデジタル放送データが、視聴済みか否かの情報をテーブル１４５の「視聴」として記憶しておくことが出来、上記デジタル放送データの視聴の有無をシリーズ番組情報とともに上記リスト表示制御プログラム１４４ｉの実行により一覧表示させることが出来る。
【００９０】
つまり、ＨＤＤレコーダ１は、上記ディスクドライブ８に記憶されたデジタル放送データが、既に視聴されたものであるか否かをユーザに報知することが可能となる。
【図面の簡単な説明】
【００９１】
【図１】本発明にかかるＨＤＤ１の要部構成を示すブロック図である。
【図２】本発明におけるテーブル１４５を示す図である。
【図３】本発明におけるシリーズテーブル１４６を示す図である。
【図４】本発明におけるシリーズ番組一覧画面５００を示す図である。
【図５】本発明における放送中シリーズ番組一覧画面５０１を示す図である。
【図６】本発明におけるシリーズ番組録画一覧画面５０２を示す図である。
【図７】本発明におけるシリーズ番組録画状況表示画面５０４を示す図である。
【図８】本発明におけるダビング／ムーブ操作画面５０４ｂを示す図である。
【図９】本発明におけるチャンネル一覧画面５０５を示す図である。
【図１０】本発明におけるシリーズ番組確認チャンネル選択画面５０６を示す図である。
【図１１】本発明における保護方式確認チャンネル選択画面５０７を示す図である。
【図１２】本発明における有料チャンネル一覧画面５０８を示す図である。
【図１３】本発明におけるシリーズ番組確認チャンネル選択画面５０９を示す図である。
【図１４】本発明における保護方式確認チャンネル選択画面５１０を示す図である。
【図１５】本発明における確認チャンネルテーブル１４７を示す図である。
【図１６】本発明におけるメッセージ表示画面を示す図である。
【図１７】本発明における第２メッセージ表示画面を示す図である。
【図１８】本発明における第３メッセージ表示画面を示す図である。
【図１９】本発明における確認チャンネル設定処理を示すフローチャートである。
【図２０】本発明における確認チャンネル設定処理を示すフローチャートである。
【図２１】本発明におけるシリーズ番組情報検索更新処理を示すフローチャートである。
【図２２】本発明における著作権保護方式確認処理を示すフローチャートである。
【図２３】本発明における著作権保護方式確認処理を示すフローチャートである。
【図２４】本発明における著作権保護方式確認処理を示すフローチャートである。
【図２５】本発明におけるコピー処理可能残数更新処理を示すフローチャートである。
【符号の説明】
【００９２】
１            ＨＤＤレコーダ
２            リモコン部
３            チューナ部
５            抽出部（抽出手段）
８            ディスクドライブ（記録部、再生有無情報記憶手段）
１０          デコーダ（再生部）
１１          出力インターフェース部（再生部）
１３          リモコン信号受信部
１４          制御部
１４２        ＣＰＵ（シリーズ番組情報検索手段、シリーズ番組情報記憶手段、受信手段、判断手段、ダビング処理手段、ダビング処理可能回数記憶手段、保護方式情報記憶手段、第１生成手段、第２生成手段、第２リスト表示制御手段、録画済み情報記憶手段、取得手段、再生有無情報記憶手段）
１４３        記憶部
１４４        ＲＯＭ
１４４ａ      シリーズ番組情報検索プログラム（シリーズ番組情報検索手段）
１４４ｂ      シリーズ番組記憶プログラム（シリーズ番組情報記憶手段、ダビング処理可能回数記憶手段、保護方式情報記憶手段、録画済み情報記憶手段）
１４４ｃ      受信プログラム（受信手段）
１４４ｄ      判断プログラム（判断手段、第１生成手段）
１４４ｅ      録画済みシリーズ番組情報判別プログラム（取得手段、第２生成手段、再生有無情報記憶手段）
１４４ｇ      コピー残数算出プログラム（更新手段）
１４４ｉ      リスト表示制御プログラム（リスト表示制御手段）
１４４ｌ      各話リスト表示制御プログラム（第２リスト表示制御手段）
１４４ｚ      コピー処理プログラム（ダビング処理手段）
１４５        テーブル
１４６        シリーズテーブル
１４７        確認チャンネルテーブル
１６          計時部
２００        テレビジョン受像機（表示手段）
５００        シリーズ番組一覧画面
５０１        放送中シリーズ番組一覧画面
５０２        シリーズ番組録画一覧画面
５０４        シリーズ番組録画状況表示画面
５０４ｂ      ダビング／ムーブ操作画面
５０５        チャンネル一覧画面
５０６        シリーズ番組確認チャンネル選択画面
５０７        保護方式確認チャンネル選択画面
５０８        有料チャンネル一覧画面
５０９        シリーズ番組確認チャンネル選択画面
５１０        保護方式確認チャンネル選択画面
【図１】
2010055687.tif 000003
【図２】
2010055687.tif 000004
【図３】
2010055687.tif 000005
【図４】
2010055687.tif 000006
【図５】
2010055687.tif 000007
【図６】
2010055687.tif 000008
【図７】
2010055687.tif 000009
【図８】
2010055687.tif 000010
【図９】
2010055687.tif 000011
【図１０】
2010055687.tif 000012
【図１１】
2010055687.tif 000013
【図１２】
2010055687.tif 000014
【図１３】
2010055687.tif 000015
【図１４】
2010055687.tif 000016
【図１５】
2010055687.tif 000017
【図１６】
2010055687.tif 000018
【図１７】
2010055687.tif 000019
【図１８】
2010055687.tif 000020
【図１９】
2010055687.tif 000021
【図２０】
2010055687.tif 000022
【図２１】
2010055687.tif 000023
【図２２】
2010055687.tif 000024
【図２３】
2010055687.tif 000025
【図２４】
2010055687.tif 000026
【図２５】
2010055687.tif 000027